(57)【要約】【課題】伝言設定時に伝言の確認を容易にし、伝言を記憶するメモリの有効利用を図る。【解決手段】伝言設定時に、アンテナ１１を介して送受信部１２に着信があると、主制御部１８の制御の下に着信情報を着信履歴記憶部１３に記憶し、発信者に対して伝言を促す応答メッセージを送信する。またこのとき、伝言通話時間をタイマ部１６で計時し、発信者からの伝言を伝言記憶部１７に記憶する。通話が終了すると、主制御部１８はタイマ部１６で計時した伝言通話時間を予め定めた基準時間と比較し、伝言通話時間が基準時間より短い場合は伝言記憶部１７に一旦記憶した伝言を削除する。【選択図】　図１
2004146864.tif 000002
【特許請求の範囲】
【請求項１】
発信元からの伝言を記憶する伝言記憶機能を有する通信装置であって、
通信手段を介して発信元と通信信号の送受信を行う送受信手段と、
前記発信元からの着信情報を記憶する着信履歴記憶手段と、
前記発信元から送られる伝言を記憶する伝言記憶手段と、
前記伝言を記憶した際の伝言通話時間を計時するタイマ手段と、
前記タイマ手段の計時に基づき、前記伝言通話時間が所定時間より短い場合に、前記伝言記憶手段における当該伝言を削除する制御手段と、
を備えたことを特徴とする通信装置。
【請求項２】
発信元からの伝言を記憶する伝言記憶機能を有する通信装置であって、
通信手段を介して発信元と通信信号の送受信を行う送受信手段と、
前記発信元からの着信情報を記憶する着信履歴記憶手段と、
前記発信元から送られる伝言を記憶する伝言記憶手段と、
前記伝言における有意な音声データを検出する音声データ検出手段と、
前記音声データ検出手段の検出結果に基づき、前記伝言中に音声データが検出されない場合に、前記伝言記憶手段における当該伝言を削除する制御手段と、
を備えたことを特徴とする通信装置。
【請求項３】
前記通信手段が無線通信信号の送受信を行う無線通信手段であることを特徴とする請求項１又は２に記載の通信装置。
【請求項４】
前記通信手段が有線の通信回線を介して通信信号の送受信を行う有線通信手段であることを特徴とする請求項１又は２に記載の通信装置。
【発明の詳細な説明】
【０００１】
【発明の属する技術分野】
本発明は、伝言記憶機能を有する電話装置等の通信装置に関する。
【０００２】
【従来の技術】
携帯電話機などの通信装置には、会議中や自動車の運転中などの事情で電話に出ることができない場合に伝言設定を行い、着信があった時は応答メッセージを送って発信者の用件を記憶する伝言記憶機能を備えたものがある。
【０００３】
この種の通信装置として、例えば、特許第３０９３７５３号公報（特許文献１）に開示された移動電話機がある。従来の伝言記憶機能を備えた携帯電話機の構成例を図７に示す。携帯電話機７０は、アンテナ７１、送受信部７２、着信履歴記憶部７３、操作部７４、表示部７５、伝言記憶部７６、及び主制御部７７を備えて構成される。使用者の操作指示により伝言設定した状態で着信があると、発信者の名前又は電話番号と着信時刻等が着信履歴記憶部７３に記憶され、発信者の話す用件が伝言記憶部７６に記憶される。使用者は、後で伝言記憶部７６に記憶された伝言を再生して聞くことができる。
【０００４】
【特許文献１】
特許第３０９３７５３号公報
【０００５】
【発明が解決しようとする課題】
発信者が伝言を残す際に、発信者が勧誘又は急用等で直接に受信者と会話をしたいために、用件を話さないまま直ちに通話を終了したり、或いは用件を話すのを躊躇して無言のまま通話を終了したりする場合がある。このような場合には、従来の伝言記憶機能を有する通信装置では、用件の入っていない伝言が伝言記憶部７６に記憶されたまま残ることとなり、伝言の再生に際して使用者が必要とする伝言を確認するのに手間がかかってしまうという問題点がある。また、伝言記憶部７６のメモリ容量が不要な無音の伝言によりが無駄に専有されてしまうことによって、後に重要な伝言の着信があった場合にこれを記憶できなくなるおそれがある。
【０００６】
本発明は、上記課題を解決するためになされたもので、その目的は、伝言設定状態において、伝言を選択して記憶することにより、伝言の確認を容易にすると共に、記憶手段の有効利用が可能な通信装置を提供することにある。
【０００７】
【課題を解決するための手段】
本発明に係る通信装置は、発信元からの伝言を記憶する伝言記憶機能を有する通信装置であって、通信手段を介して発信元と通信信号の送受信を行う送受信手段と、前記発信元からの着信情報を記憶する着信履歴記憶手段と、前記発信元から送られる伝言を記憶する伝言記憶手段と、前記伝言を記憶した際の伝言通話時間を計時するタイマ手段と、前記タイマ手段の計時に基づき、前記伝言通話時間が所定時間より短い場合に、前記伝言記憶手段における当該伝言を削除する制御手段と、を備えたことを特徴とする。
【０００８】
上記構成によれば、通話を短時間で終了した用件が含まれない伝言を残さないようにすることができるので、後で伝言の確認をする際に、不要な伝言を再生する作業を省くことができ、伝言確認作業を容易に行うことができる。また、伝言記憶手段において記憶領域が不要な伝言で占有されることがなく、メモリの有効利用が可能となる。
【０００９】
本発明に係る通信装置は、発信元からの伝言を記憶する伝言記憶機能を有する通信装置であって、通信手段を介して発信元と通信信号の送受信を行う送受信手段と、前記発信元からの着信情報を記憶する着信履歴記憶手段と、前記発信元から送られる伝言を記憶する伝言記憶手段と、前記伝言における有意な音声データを検出する音声データ検出手段と、前記音声データ検出手段の検出結果に基づき、前記伝言中に音声データが検出されない場合に、前記伝言記憶手段における当該伝言を削除する制御手段と、を備えたことを特徴とする。
【００１０】
上記構成によれば、用件の音声が含まれない無言の伝言を残さないようにすることができるので、後で伝言の確認をする際に、不要な伝言を再生する作業を省くことができ、伝言確認作業を容易に行うことができる。また、伝言記憶手段において記憶領域が不要な伝言で占有されることがなく、メモリの有効利用が可能となる。
【００１１】
また、前記通信手段が無線通信信号の送受信を行う無線通信手段であることを特徴とする。
【００１２】
上記構成によれば、例えば携帯電話機などの無線通信を行う通信装置において、不要な伝言を残さず、伝言の確認を容易にすることが可能であり、利便性が向上する。また、伝言記憶手段におけるメモリの有効利用が可能となる。
【００１３】
或いは、前記通信手段が有線の通信回線を介して通信信号の送受信を行う有線通信手段であることを特徴とする。
【００１４】
上記構成によれば、例えば固定電話機などの有線通信を行う通信装置において、不要な伝言を残さず、伝言の確認を容易にすることが可能であり、利便性が向上する。また、伝言記憶手段におけるメモリの有効利用が可能となる。
【００１５】
【発明の実施の形態】
以下、図面を参照して本発明の実施形態を説明する。
本実施形態では、通信装置の例として携帯電話機又は固定電話機等による伝言記憶機能を有する電話装置の構成を例示する。
【００１６】
（第１実施形態）
図１は本発明の第１実施形態に係る伝言記憶機能を有する携帯電話機の要部構成を示すブロック図である。
【００１７】
第１実施形態の携帯電話機１０は、アンテナ１１を介して無線通信信号の送信及び受信を行う送受信部（送受信手段）１２と、伝言設定時に着信があった際の発信者の電話番号又は名前、着信時刻等の着信情報を記憶する着信履歴記憶部（着信履歴記憶手段）１３と、伝言設定や伝言の再生、消去を指示する操作部１４と、伝言を確認するために過去の着信情報を表示する表示部１５と、伝言設定時に着信があった際に伝言通話時間を計時するタイマ部（タイマ手段）１６と、伝言を記憶しておく伝言記憶部（伝言記憶手段）１７と、上記各部を制御する主制御部（制御手段）１８と、を有して構成される。
【００１８】
次に、上記のように構成された携帯電話機１０について、伝言設定時の動作を図２に示すフローチャートに基づいて説明する。
【００１９】
まず、使用者は操作部１４を操作して伝言設定を行う（ステップＳ１１）。これに基づいて主制御部１８は伝言設定モードの動作制御を行い、送受信部１２等を制御して着信の有無を監視する（ステップＳ１２）。
【００２０】
ステップＳ１２において、アンテナ１１を介し送受話部１２に着信があると、主制御部１８は発信者の電話番号又は名前、着信時刻等の着信情報を着信履歴記憶部１３に記憶する（ステップＳ１３）。また、主制御部１８は「ただいま電話に出ることができません。ご用件をお話しください。」などの応答メッセージを送受話部１２より発信者に送信する（ステップＳ１４）。
【００２１】
応答メッセージの送信が終了すると、主制御部１８はタイマ部１６を起動させて伝言通話時間の計時を開始する（ステップＳ１５）。また、主制御部１８は伝言記憶部１７を制御し、発信者から送られる伝言を記憶する（ステップＳ１６）。
【００２２】
次いで、主制御部１８は通話の終了を判定し（ステップＳ１７）、通話が終了するとタイマ部１６の計時動作及び伝言記憶部１７の伝言記憶動作を停止させる。そして、主制御部１８はタイマ部１６で計時された伝言通話時間Ｔを検出し、予め定めた基準時間Ｔ０　と比較する。ここでは、Ｔ＜Ｔ０　、すなわち伝言通話時間が基準時間未満か否かを判定する（ステップＳ１８）。
【００２３】
ステップＳ１８において、伝言通話時間Ｔが所定の基準時間Ｔ０　より短い場合、発信者は伝言を話すことなく通話を終了したものと判断し、伝言記憶部１７に一旦記憶した伝言を削除する（ステップＳ１９）。このとき、着信履歴記憶部１３に記憶した着信情報についても伝言と共に削除するようにしてもよいし、着信履歴として着信情報のみを残すようにしてもよい。
【００２４】
一方、ステップＳ１８において、伝言通話時間Ｔが所定の時間Ｔ０　以上の場合は、有用な伝言があったものと判断して、着信情報と伝言をそれぞれ着信履歴記憶部１３及び伝言記憶部１７に記憶したまま残す。そして、ステップＳ１２に戻り、次の着信に備えて待機する。
【００２５】
このように、本実施形態の構成及び手順によれば、伝言通話時間が所定時間より短い場合に用件のない伝言であると判断して伝言を削除することにより、不要な伝言を伝言記憶部に残すことがないので、後で使用者が伝言を確認する際に無駄な伝言再生作業を省くことができる。このため、伝言の確認が容易となり、操作性が向上する。また、伝言記憶部の記憶領域を無用に占有することがなく、メモリの有効利用が可能となる。
【００２６】
（第２実施形態）
図３は本発明の第２実施形態に係る伝言記憶機能を有する固定電話機の要部構成を示すブロック図である。
【００２７】
第２実施形態は、第１実施形態の構成をモジュラケーブルを介して電話回線に接続される固定電話機に適用した例である。
【００２８】
固定電話機２０は、電話回線と接続されるモジュラケーブル２９を接続する通信コネクタ２１と、通信相手との通信信号の送信及び受信を行う送受信部２２と、伝言設定時に着信があった際の発信者の電話番号又は名前、着信時刻等の着信情報を記憶する着信履歴記憶部２３と、伝言設定や伝言の再生、消去を指示する操作部２４と、伝言を確認するために過去の着信情報を表示する表示部２５と、伝言設定時において着信があった際の伝言通話時間を計時するタイマ部２６と、伝言を記憶しておく伝言記憶部２７と、上記各部を制御する主制御部２８と、を有して構成される。
【００２９】
この固定電話機２０の伝言設定時の動作は、前述した第１実施形態と同様である。すなわち、使用者が操作部２４を操作して伝言設定を指示することにより、主制御部２８は伝言設定モードに移行して待機状態となる。
【００３０】
モジュラケーブル２９を介して送受信部２２に着信があると、主制御部２８は、発信者の電話番号又は名前、着信時刻等の着信情報を着信履歴記憶部２３に記憶すると共に、応答メッセージを送受信部２２より電話回線を介して発信者に送信する。このとき、タイマ部２６により伝言通話時間を計時し、伝言通話時間が予め定めた基準時間より短い場合は、発信者は用件を話すことなく通話を終了したものと判断し、伝言記憶部２７に一旦記憶した伝言を削除する。
【００３１】
このように、第２実施形態では、第１実施形態と同様に、伝言通話時間が所定時間より短い場合に用件のない伝言であると判断して伝言を削除することにより、不要な伝言を伝言記憶部に残すことがないので、後で使用者が伝言を確認する際に無駄な伝言再生作業を省くことができ、伝言確認時の操作性を向上できる。また、無音の伝言で伝言記憶部の記憶領域が占有されることを防止でき、メモリの有効利用が可能となる。
【００３２】
（第３実施形態）
図４は本発明の第３実施形態に係る伝言記憶機能を有する携帯電話機の要部構成を示すブロック図である。
【００３３】
第３実施形態の携帯電話機４０は、アンテナ１１を介して無線通信信号の送信及び受信を行う送受信部１２と、伝言設定時に着信があった際の発信者の電話番号又は名前、着信時刻等の着信情報を記憶する着信履歴記憶部１３と、伝言設定や伝言の再生、消去を指示する操作部１４と、伝言を確認するために過去の着信情報を表示する表示部１５と、伝言記憶時の音声データを検出する音声データ検出部（音声データ検出手段）４６と、伝言を記憶しておく伝言記憶部１７と、上記各部を制御する主制御部４８と、を有して構成される。この第３実施形態は、前述の第１実施形態におけるタイマ部１６を音声データ検出部４６に、主制御部１８を主制御部４８に置き換えて構成したものである。
【００３４】
次に、上記のように構成された携帯電話機４０について、伝言設定時の動作を図５に示すフローチャートに基づいて説明する。
【００３５】
まず、使用者は操作部１４を操作して伝言設定を行う（ステップＳ２１）。これに基づいて主制御部４８は伝言設定モードの動作制御を行い、送受信部１２等を制御して着信の有無を監視する（ステップＳ２２）。
【００３６】
ステップＳ２２において、アンテナ１１を介し送受話部１２に着信があると、主制御部４８は発信者の電話番号又は名前、着信時刻等の着信情報を着信履歴記憶部１３に記憶する（ステップＳ２３）。また、主制御部４８は「ただいま電話に出ることができません。ご用件をお話しください。」などの応答メッセージを送受話部１２より発信者に送信する（ステップＳ２４）。
【００３７】
応答メッセージの送信が終了すると、主制御部４８は伝言記憶部１７を制御し、発信者から送られる伝言を記憶する（ステップＳ２５）。次いで、主制御部４８は通話の終了を判定し（ステップＳ２６）、通話が終了すると伝言記憶部１７の伝言記憶動作を停止させる。そして、主制御部４８は伝言記憶部１７に記憶された伝言を読み出して、音声データ検出部４６により音声データが検出されたかどうかを検出し、伝言に用件が含まれているかを判断する（ステップＳ２７）。この音声データの有無の判断は、伝言記憶部１７へ伝言を記憶する際に音声データ検出部４６で音声データを検出することによって行うこともできる。
【００３８】
ステップＳ２７において、伝言の中に音声データが検出されなかった場合は、発信者は伝言を話すことなく無言のままで通話を終了したものと判断し、伝言記憶部１７に一旦記憶した伝言を削除する（ステップＳ２８）。このとき、着信履歴記憶部１３に記憶した着信情報についても伝言と共に削除するようにしてもよいし、着信履歴として着信情報のみを残すようにしてもよい。
【００３９】
一方、ステップＳ２７において、伝言記憶部１７に記憶された伝言に有音の音声データが検出された場合は、有用な伝言があったものと判断して、着信情報と伝言をそれぞれ着信履歴記憶部１３及び伝言記憶部１７に記憶したまま残す。そして、ステップＳ２２に戻り、次の着信に備えて待機する。
【００４０】
このように、本実施形態の構成及び手順によれば、伝言中に音声データが検出されない場合に用件のない無言の伝言であると判断して伝言を削除することにより、不要な伝言を伝言記憶部に残すことがないので、後で使用者が伝言を確認する際に無駄な伝言再生作業を省くことができる。このため、伝言の確認が容易となり、操作性が向上する。また、伝言記憶部の記憶領域を無用に占有することがなく、メモリの有効利用が可能となる。
【００４１】
（第４実施形態）
図６は本発明の第４実施形態に係る伝言記憶機能を有する固定電話機の要部構成を示すブロック図である。
【００４２】
第４実施形態は、第３実施形態の構成をモジュラケーブルを介して電話回線に接続される固定電話機に適用した例である。
【００４３】
固定電話機５０は、電話回線と接続されるモジュラケーブル２９を接続する通信コネクタ２１と、通信相手との通信信号の送信及び受信を行う送受信部２２と、伝言設定時に着信があった際の発信者の電話番号又は名前、着信時刻等の着信情報を記憶する着信履歴記憶部２３と、伝言設定や伝言の再生、消去を指示する操作部２４と、伝言を確認するために過去の着信情報を表示する表示部２５と、伝言記憶時の音声データを検出する音声データ検出部５６と、伝言を記憶しておく伝言記憶部２７と、上記各部を制御する主制御部５８と、を有して構成される。この第４実施形態は、前述の第２実施形態におけるタイマ部２６を音声データ検出部５６に、主制御部２８を主制御部５８に置き換えて構成したものである。
【００４４】
この固定電話機５０の伝言設定時の動作は、前述した第３実施形態と同様である。すなわち、使用者が操作部２４を操作して伝言設定を指示することにより、主制御部５８は伝言設定モードに移行して待機状態となる。
【００４５】
モジュラケーブル２９を介して送受信部２２に着信があると、主制御部５８は、発信者の電話番号又は名前、着信時刻等の着信情報を着信履歴記憶部２３に記憶すると共に、応答メッセージを送受信部２２より電話回線を介して発信者に送信する。このとき、音声データ検出部５６により伝言における音声データを検出し、伝言の中に音声データが検出されなかった場合は、発信者は用件を話すことなく通話を終了したものと判断し、伝言記憶部２７に一旦記憶した伝言を削除する。
【００４６】
このように、第４実施形態では、第３実施形態と同様に、伝言中に音声データが検出されない場合に用件のない無言の伝言であると判断して伝言を削除することにより、不要な伝言を伝言記憶部に残すことがないので、後で使用者が伝言を確認する際に無駄な伝言再生作業を省くことができ、伝言確認時の操作性を向上できる。また、無音の伝言で伝言記憶部の記憶領域が占有されることを防止でき、メモリの有効利用が可能となる。
【００４７】
なお、本発明は上述した実施形態に何ら限定されるものではなく、その要旨を逸脱しない範囲において種々の態様で実施し得るものである。
【００４８】
【発明の効果】
以上説明したように本発明によれば、伝言設定状態において、伝言を選択して記憶することにより、伝言の確認を容易にすると共に、記憶手段の有効利用が可能な通信装置を提供できる。
【図面の簡単な説明】
【図１】本発明の第１実施形態に係る携帯電話機の要部構成を示すブロック図
【図２】第１実施形態に係る携帯電話機の伝言設定時の動作を示すフローチャート
【図３】本発明の第２実施形態に係る固定電話機の要部構成を示すブロック図
【図４】本発明の第３実施形態に係る携帯電話機の要部構成を示すブロック図
【図５】第３実施形態に係る携帯電話機の伝言設定時の動作を示すフローチャート
【図６】本発明の第４実施形態に係る固定電話機の要部構成を示すブロック図
【図７】従来の伝言記憶機能を備えた携帯電話機の構成例を示すブロック図
【符号の説明】
１０、４０　携帯電話機
１１　アンテナ
１２、２２　送受信部
１３、２３　着信履歴記憶部
１４、２４　操作部
１５、２５　表示部
１６、２６　タイマ部
１７、２７　伝言記憶部
１８、２８、４８、５８　主制御部
２０、５０　固定電話機
２１　通信コネクタ
２９　モジュラケーブル
４６、５６　音声データ検出部
【図１】
2004146864.tif 000003
【図２】
2004146864.tif 000004
【図３】
2004146864.tif 000005
【図４】
2004146864.tif 000006
【図５】
2004146864.tif 000007
【図６】
2004146864.tif 000008
【図７】
2004146864.tif 000009